(57)【要約】【課題】放送情報と時刻情報を受信し、低コストおよび低消費電力で小型化が可能な受信装置を提供する。【解決手段】テレビジョン受信装置１は、入力された放送信号および時刻信号の中から、１つの受信対象信号が選択され、前記選択された受信対象信号に応じて局発周波数を決定し、当該局発周波数を有する局部発振信号を生成する局部発振信号生成手段と、前記局部発振信号と前記受信信号とを混合することにより、前記受信信号に含まれる前記受信対象信号を、前記局発周波数と前記受信対象信号の周波数との差分を周波数とする中間周波信号に変換する周波数変換手段２４と、前記中間周波信号を復調する復調手段４０と、前記情報を出力する出力手段５０とを備え、前記局部発振信号生成手段は、前記中間周波信号の占有周波数帯域が所定の周波数帯域に含まれるように、前記局発周波数を決定する。【選択図】図１
2008288650.tif 000002
【特許請求の範囲】
【請求項１】
放送情報が変調され、割当てられた放送チャンネルの周波数で送信される放送信号および時刻情報が変調され、所定の周波数で送信される時刻信号とを含む受信信号が入力される入力手段と、
前記放送信号および前記時刻信号から、１つの受信対象信号を選択する選択手段と、
前記選択された受信対象信号に応じて決定された局発周波数を有する局部発振信号を生成する局部発振信号生成手段と、
前記局部発振信号と前記受信信号とを混合することにより、前記受信信号に含まれる前記受信対象信号を、前記局発周波数と前記受信対象信号の周波数との差分を周波数とする中間周波信号に変換する変換手段と、
所定の周波数帯域に含まれる前記中間周波信号が含む前記放送情報および前記時刻情報の何れかの情報を取り出すべく、前記中間周波信号を復調する復調手段と、
前記取り出された情報を出力する出力手段とを備え、
前記局部発振信号生成手段は、前記受信対象信号に依らず、前記中間周波信号の占有周波数帯域が前記所定の周波数帯域に含まれる前記局発周波数を生成することを特徴とする受信装置。
【請求項２】
請求項１に記載の受信装置において、
前記局部発振信号生成手段は、前記放送信号が変換された第１の中間周波信号の中心周波数が、前記所定の周波数帯域の中心周波数と等しくなる前記局発周波数を生成することを特徴とする受信装置。
【請求項３】
請求項１乃至２のいずれかに記載の受信装置において、
前記局部発振信号生成手段は、前記放送信号の前記局発周波数を決定する一方の局発周波数決定手段と、前記時刻信号の前記局発周波数を決定する他方の局発周波数決定手段とを備え、
前記一方の局発周波数決定手段は、順次に隣接する放送チャンネルで送信される放送信号の前記局発周波数を、前記放送チャンネルの帯域幅の間隔で順次決定することを特徴とする受信装置。
【請求項４】
請求項３に記載の受信装置において、
前記他方の局発周波数決定手段は、
前記放送信号が変換された前記中間周波信号の周波数に、前記放送チャンネルの帯域幅を逓倍して加えた周波数を、前記時刻信号の前記局発周波数として決定することを特徴とする受信装置。
【請求項５】
請求項１乃至４のいずれか１項に記載の受信装置において、
前記出力手段は、
前記取り出された情報を表示する表示手段を備え、
前記表示手段は、前記放送情報および前記時刻情報の何れかを表示することを特徴とする受信装置。
【請求項６】
請求項５に記載の受信装置において、
前記表示手段は、
前記放送情報の表示から前記時刻情報の表示に切り替わる場合、
前記時刻情報を、表示されていた前記放送情報に重畳して表示することを特徴とする受信装置。
【請求項７】
請求項１乃至６のいずれか１項に記載の受信装置において、
前記放送信号は、強階層と前記強階層よりも所要ＣＮ比が高い弱階層とを少なくとも含み、
前記復調手段は、前記強階層を用いて放送される前記放送情報を取り出すことを特徴とする受信装置。
【請求項８】
請求項１乃至７のいずれか１項に記載の受信装置において、
前記所定の周波数帯域は、前記復調手段が復調可能な周波数帯域であることを特徴とする受信装置。
【請求項９】
請求項１乃至８のいずれか１項に記載の受信装置において、
前記時刻情報は、ＣＤＭＡ変調されていることを特徴とする受信装置。
【請求項１０】
請求項１乃至９のいずれか１項に記載の受信装置において、
前記時刻情報は、Ｐｅｒｓｏｎａｌ  Ｈａｎｄｙｐｈｏｎｅ  Ｓｙｓｔｅｍの電波に重畳されていることを特徴とする受信装置。
【請求項１１】
請求項１乃至１０のいずれか１項に記載の受信装置を有する電子機器。
【請求項１２】
入力手段が、放送情報が変調され、割当てられた放送チャンネルの周波数で送信される放送信号および時刻情報が変調され、所定の周波数で送信される時刻信号とを含む受信信号が入力される入力工程と、
選択手段が、前記放送信号および前記時刻信号から、１つの受信対象信号を選択する選択工程と、
局部発振信号生成手段が、前記選択された受信対象信号に応じて決定された局発周波数を有する局部発振信号を生成する局部発振信号生成工程と、
変換手段が、前記局部発振信号と前記受信信号とを混合することにより、前記受信信号に含まれる前記受信対象信号を、前記局発周波数と前記受信対象信号の周波数との差分を周波数とする中間周波信号に変換する変換工程と、
出力手段が、所定の周波数帯域に含まれる前記中間周波信号が含む前記放送情報および前記時刻情報の何れかの情報を取り出すべく、前記中間周波信号を復調する復調手段と、
前記取り出された情報を出力する出力工程とを含み、
前記局部発振信号生成工程は、前記受信対象信号に依らず、前記中間周波信号の占有周波数帯域が前記所定の周波数帯域に含まれる前記局発周波数を生成することを特徴とする受信方法。
【発明の詳細な説明】
【技術分野】
【０００１】
本発明は、放送情報と時刻情報とを受信する受信装置、電子機器および受信方法に関する。
【背景技術】
【０００２】
デジタル放送を受信するテレビ受信機や録画装置等の電子機器においては、予約録画の時刻設定や、有料放送あるいは著作権保護のための再生可能な有効期間の確定等のため、正確な時刻情報を取得することが極めて重要になっている。このような正確な時刻情報は、地上基地局から送信される長波帯域の標準電波や、ＧＰＳ（Ｇｌｏｂａｌ  Ｐｏｓｉｔｉｏｎｉｎｇ  Ｓｙｓｔｅｍ）衛星から送信される極超短波帯域の時刻データを受信することにより取得できることが知られている。更に、近年では、下記特許文献１に記載されているように、移動通信を目的として、ＣＤＭＡ（Ｃｏｄｅ  Ｄｉｖｉｓｉｏｎ  Ｍｕｌｔｉｐｌｅ  Ａｃｃｅｓｓ）変調されて送信される極超短波帯域の電波に含まれる時刻信号を受信して、正確な時刻を取得する装置が提案されている。このような極超短波帯域の電波は、種々の中継局から遍く中継されるため、長波帯域の標準電波やＧＰＳ衛星からの電波と比較して、建物の中や地下のような様々な移動先においても、良好に受信できることが知られている。
【０００３】
【特許文献１】特開２０００−３２１３８３号公報
【発明の開示】
【発明が解決しようとする課題】
【０００４】
しかしながら、テレビ受信機や録画装置等の電子機器において、時刻信号が含まれる電波を受信して時刻情報を取得するためには、受信信号を復調して時刻情報を抽出するための受信回路を、電子機器に新たに組み込む必要があるため、電子機器の製作に要するコストが上昇すると共に、電子機器のサイズが大型化され、消費電力も増大した。
【課題を解決するための手段】
【０００５】
本発明の受信装置は、放送情報が変調され、割当てられた放送チャンネルの周波数で送信される放送信号および時刻情報が変調され、所定の周波数で送信される時刻信号とを含む受信信号が入力される入力手段と、前記放送信号および前記時刻信号から、１つの受信対象信号を選択する選択手段と、前記選択された受信対象信号に応じて決定された局発周波数を有する局部発振信号を生成する局部発振信号生成手段と、前記局部発振信号と前記受信信号とを混合することにより、前記受信信号に含まれる前記受信対象信号を、前記局発周波数と前記受信対象信号の周波数との差分を周波数とする中間周波信号に変換する変換手段と、所定の周波数帯域に含まれる前記中間周波信号が含む前記放送情報および前記時刻情報の何れかの情報を取り出すべく、前記中間周波信号を復調する復調手段と、前記取り出された情報を出力する出力手段とを備え、前記局部発振信号生成手段は、前記受信対象信号に依らず、前記中間周波信号の占有周波数帯域が前記所定の周波数帯域に含まれる前記局発周波数を生成することを特徴とする。
【０００６】
この発明によれば、受信対象信号が放送信号および時刻信号の何れであっても、受信対象信号が変換された中間周波信号の占有周波数帯域は、所定の周波数帯域に含まれる。この結果、中間周波信号は復調手段で復調され、中間周波信号に含まれる放送情報または時刻情報は、それぞれの情報が欠落することなく取り出されて出力される。従って、受信対象信号に依らず、受信した信号の処理を共通にできることから、このような受信装置の製作コストが低減できると共に、受信装置の小型化および低消費電力化を図れる。
【０００７】
本発明の受信装置では、前記局部発振信号生成手段は、前記放送信号が変換された第１の中間周波信号の中心周波数が、前記所定の周波数帯域の中心周波数と等しくなる前記局発周波数を生成することが好ましい。
この発明によれば、少なくとも放送信号を含む中間周波信号の周波数は、所定の周波数帯域の中心周波数に変換されるため、放送信号の復調処理が容易になる。
【０００８】
本発明の受信装置では、前記局部発振信号生成手段は、前記放送信号の前記局発周波数を決定する一方の局発周波数決定手段と、前記時刻信号の前記局発周波数を決定する他方の局発周波数決定手段とを備え、前記一方の局発周波数決定手段は、順次に隣接する放送チャンネルで送信される放送信号の前記局発周波数を、前記放送チャンネルの帯域幅の間隔で順次決定することが好ましい。
この発明によれば、放送チャンネルが連続して隣接する放送信号の局発周波数を、放送チャンネルの帯域幅の間隔で容易に決定できる。
【０００９】
本発明の受信装置では、前記他方の局発周波数決定手段は、前記放送信号が変換された前記中間周波信号の周波数に、前記放送チャンネルの帯域幅を逓倍して加えた周波数を、前記時刻信号の前記局発周波数として決定することが好ましい。
この発明によれば、時刻信号の局発周波数を、放送信号の場合と同様に決定できる。
【００１０】
本発明の受信装置では、前記出力手段は、前記取り出された情報を表示する表示手段を備え、前記表示手段は、前記放送情報および前記時刻情報の何れかを表示しても良い。また、前記表示手段は、前記放送情報の表示から前記時刻情報の表示に切り替わる場合、前記時刻情報を、表示されていた前記放送情報に重畳して表示しても良い。
【００１１】
本発明の受信装置では、前記放送信号は、強階層と前記強階層よりも所要ＣＮ比が高い弱階層とを少なくとも含み、前記復調手段は、前記強階層を用いて放送される前記放送情報を取り出しても良い。また、本発明の受信装置では、前記所定の周波数帯域は、前記復調手段が復調可能な周波数帯域であっても良い。また、前記時刻情報は、ＣＤＭＡ変調されていても良い。更に、本発明の受信装置では、前記時刻情報は、Ｐｅｒｓｏｎａｌ  Ｈａｎｄｙｐｈｏｎｅ  Ｓｙｓｔｅｍの電波に重畳されていても良い。そして、上記した受信装置は、電子機器に適用しても良い。
【００１２】
本発明の受信方法は、入力手段が、放送情報が変調され、割当てられた放送チャンネルの周波数で送信される放送信号および時刻情報が変調され、所定の周波数で送信される時刻信号とを含む受信信号が入力される入力工程と、選択手段が、前記放送信号および前記時刻信号から、１つの受信対象信号を選択する選択工程と、局部発振信号生成手段が、前記選択された受信対象信号に応じて決定された局発周波数を有する局部発振信号を生成する局部発振信号生成工程と、変換手段が、前記局部発振信号と前記受信信号とを混合することにより、前記受信信号に含まれる前記受信対象信号を、前記局発周波数と前記受信対象信号の周波数との差分を周波数とする中間周波信号に変換する変換工程と、出力手段が、所定の周波数帯域に含まれる前記中間周波信号が含む前記放送情報および前記時刻情報の何れかの情報を取り出すべく、前記中間周波信号を復調する復調手段と、前記取り出された情報を出力する出力工程とを含み、前記局部発振信号生成工程は、前記受信対象信号に依らず、前記中間周波信号の占有周波数帯域が前記所定の周波数帯域に含まれる前記局発周波数を生成することを特徴とする。
【００１３】
この発明によれば、受信対象信号が放送信号および時刻信号の何れであっても、受信対象信号が変換された中間周波信号の占有周波数帯域は、所定の周波数帯域に含まれる。この結果、中間周波信号は復調手段で復調され、中間周波信号に含まれる放送情報または時刻情報は、それぞれの情報が欠落することなく取り出されて出力される。従って、受信対象信号に依らず、受信した信号の処理を共通にできることから、このような受信装置の製作コストが低減できると共に、受信装置の小型化および低消費電力化を図れる。
【発明を実施するための最良の形態】
【００１４】
以下、本発明に係る受信装置の実施形態について図面を参照して説明する。
【００１５】
（実施形態１）
図１は、本発明の実施形態１に係る受信装置の一実施例であるテレビジョン受信装置１の機能構成を示すブロック図である。このテレビジョン受信装置１は、所定の周波数帯域の電波により配信される地上波のデジタルテレビ放送を受信すると共に、ＣＤＭＡ変調されて送信される極超短波帯域の電波に含まれる時刻情報を受信して、この時刻情報が有する正確な時刻を出力する。
【００１６】
テレビジョン受信装置１は、アンテナ１０と、チューナ２０と、操作指示手段３８と、復調手段４０と、出力手段５０とを備える。また、チューナ２０は、ＲＦ（Ｒａｄｉｏ  Ｆｒｅｑｕｅｎｃｙ）部として機能し、ローノイズアンプ２２と、周波数変換手段２４と、ＩＦバンドパスフィルタ２６と、ＩＦアンプ２８と、切り替え手段３０と、ＴＶ信号用局部発振信号生成手段（以降、「ＴＶ用局発信号生成手段」と略す。）３２と、ＣＤＭＡ信号用局部発振信号生成手段（以降、「ＣＤＭＡ用局発信号生成手段」と略す。）３４とを有する。更に、復調手段４０は、ベースバンド部として機能し、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調手段４２と、ＣＤＭＡ復調手段４４と、時刻情報取得手段４６と、ＭＰＥＧ（Ｍｏｖｉｎｇ  Ｐｉｃｔｕｒｅ  Ｅｘｐｅｒｔｓ  Ｇｒｏｕｐ）復調手段４８とを有する。尚、チューナ２０および復調手段４０の各機能部は、図示は略すが、集積回路等の電気回路で実現させても良く、また、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）およびＲＯＭ（Ｒｅａｄ  Ｏｎｌｙ  Ｍｅｍｏｒｙ）等で構成され、これらのハードウェアとソフトウェアとを協働させて実現しても良い。
【００１７】
アンテナ１０は、所定の利得特性を有し、空中に放射された電波を入力するための入力手段である。本実施形態１では、放送情報が変調され、割当てられた放送チャンネルの周波数で送信される放送信号と、時刻情報が変調され、所定の周波数で送信される時刻信号とを含む受信信号が、このアンテナ１０に入力される。ここで、放送信号の電波は、地上デジタル放送の電波であり、ＵＨＦ（Ｕｌｔｒａ  Ｈｉｇｈ  Ｆｒｅｑｕｅｎｃｙ）帯の周波数である４７３．１４ＭＨｚ（中心周波数）を１３チャンネルとして、６ＭＨｚの帯域幅毎に６２チャンネルまで割当てられている。１つの放送チャンネルを構成する帯域幅は、１４分割されると共に、この中の１３個がセグメントとして使用されている。これらのセグメントは、１セグメントから成る強階層と、１２セグメントから成り、強階層よりも所要ＣＮ比（Ｃａｒｒｉｅｒ  Ｎｏｉｓｅ  ｒａｔｉｏ）が高い弱階層の２つの階層に分離され階層伝送される。このような階層伝送により、１セグメントから成る強階層を用いて低解像度のテレビ放送が配信され、１２セグメントから成る弱階層を用いてハイビジョン等の高解像度のテレビ放送が配信されている。尚、本実施形態１では、テレビジョン受信装置１の受信可能な帯域幅を示す受信帯域幅は、地上波デジタル放送の少なくとも３セグメント（占有周波数帯域幅：１．２９ＭＨｚ）以上に対応している。
【００１８】
時刻信号の電波は、携帯電話のような移動通信を目的として、ＣＤＭＡ変調された時刻情報を含み、例えば、８４３．９ＭＨｚ（セカンダリーチャンネル）や８６０．９５ＭＨｚ（プライマリーチャンネル）のような極超短波帯域に１．２３ＭＨｚの占有周波数帯域幅で基地局から送信される。ここで、ＣＤＭＡ変調とは、狭帯域の変調波を拡散符号によって再度変調し、受信側で通信チャネルごとに異なる拡散符号を割当てることで多チャネルでの通信を可能にする変調方式である。
【００１９】
チューナ２０は、入力された受信信号の中から選択された放送信号または時刻信号を、所定の中間周波信号に変換して出力する。対象とする信号の選択は、操作指示手段３８を介して指示される。このような操作指示手段３８は、例えばユーザにより操作されるリモコンを想定しても良い。ユーザは、このリモコンを操作して、デジタルテレビ放送を視聴中に現在の時刻の表示を指示できる。また、デジタルテレビ放送が視聴されている場合において、ユーザの操作により、テレビジョン受信装置１の電源が投入されたり、遮断されたりした場合や、デジタルテレビ放送のチャンネルが切り替わる場合のように、一時的に放送信号の受信に支障のないタイミングが発生した場合、操作指示手段３８は、ユーザの操作に依らず、時刻信号の受信を指示しても良い。
【００２０】
ここで、操作指示手段３８により、受信すべきデジタルテレビ放送のチャンネルがチューナ２０に対して指示された場合、ＴＶ用局発信号生成手段３２は、操作指示手段３８からの指示に従い、受信する放送チャンネルの周波数に応じた局発周波数を有する局部発振信号を生成する。また、チューナ２０に対して時刻信号の受信が指示された場合、ＣＤＭＡ用局発信号生成手段３４は、操作指示手段３８からの指示に従い、受信する時刻信号の周波数に応じた局発周波数を有する局部発振信号を生成する。ここで、切り替え手段３０は、操作指示手段３８からの指示に従い、ＴＶ用局発信号生成手段３２で生成された局部発振信号、またはＣＤＭＡ用局発信号生成手段３４で生成された局部発振信号の何れかを周波数変換手段２４に送るべく信号線を切り替える。
【００２１】
他方で、ローノイズアンプ２２は、チューナ２０に入力された受信信号を増幅する。本実施形態１では、このローノイズアンプ２２の動作帯域は、地上デジタル放送の１３チャンネルから６２チャンネルまでの周波数帯域（４７０ＭＨｚ〜７７０ＭＨｚ）、ＣＤＭＡ基地局からのセカンダリーチャンネル送信周波数（８４３．９±０．６１５ＭＨｚ）およびＣＤＭＡ基地局からのプライマリーチャンネル送信周波数（８６０．９５±０．６１５ＭＨｚ）である。このローノイズアンプ２２により増幅された受信信号は、周波数変換手段２４に送られる。
【００２２】
周波数変換手段２４は、それぞれ入力された局部発振信号と受信信号とを混合することにより、受信信号に含まれる受信対象信号を、この受信対象信号の周波数と局部発振信号の局発周波数との差分を周波数とするＩＦ（Ｉｎｔｅｒｍｅｄｉａｔｅ  Ｆｒｅｑｕｅｎｃｙ：中間周波）信号に変換する。一般的に、高周波信号を受信する受信機では、後段の復調処理を容易にすべく、ＩＦ信号の周波数は、受信信号よりも周波数が低い中間周波数に変換される。本実施形態１のテレビジョン受信装置１では、中間周波数は４．０６ＭＨｚに設計され、ＴＶ用局発信号生成手段３２は、放送信号を含むＩＦ信号の中心周波数が中間周波数（４．０６ＭＨｚ）になるように、局発周波数を決定する。即ち、ＴＶ用局発信号生成手段３２で生成される局部発振信号の局発周波数（ｆ０）は、以下に示すように、放送チャンネルの帯域幅の間隔（６ＭＨｚ）毎に決定される。
ｆ０＝４６９．０８＋６×ｎ（ＭＨｚ）  但し、ｎ＝０〜４９・・・・（式１）
【００２３】
また、ＣＤＭＡ用局発信号生成手段３４は、時刻信号を含むＩＦ信号の中心周波数が、放送信号を含むＩＦ信号と同じ中間周波数（４．０６ＭＨｚ）になるように、局発周波数を決定する。従って、セカンダリーチャンネルを受信対象とする場合、局発周波数は８３９．８４ＭＨｚとなり、プライマリーチャンネルを受信対象とする場合、局発周波数は８５６．８９ＭＨｚとなる。ここで、図２は、放送信号が変換されたＩＦ信号の周波数帯域と、時刻信号が変換されたＩＦ信号の周波数帯域をそれぞれ示す。この図２に示すように、時刻信号のＣＤＭＡ帯域（１．２３ＭＨｚ）は、放送信号の３セグメント分の帯域（１．２９ＭＨｚ）に含まれる。
【００２４】
図１に戻り、周波数変換手段２４で変換されたＩＦ信号は、ＩＦバンドパスフィルタ２６でフィルタリングされる。このＩＦバンドパスフィルタ２６は、本実施形態１では、中間周波数である４．０６ＭＨｚを中心周波数として、地上波デジタル放送の３セグメント分（１．２９ＭＨｚ）の帯域が少なくとも通過可能となるような特性を有している。ＩＦ信号は、このＩＦバンドパスフィルタ２６を通過した後、ＩＦアンプ２８で必要に応じて増幅され、復調手段４０に送られる。以上述べたように、このチューナ２０は、受信すべき信号が、時刻信号および放送信号の何れであっても、ＴＶ用局発信号生成手段３２およびＣＤＭＡ用局発信号生成手段３４を除いて共通の機能部で処理できる。
【００２５】
復調手段４０は、本実施形態１では、テレビジョン受信装置１の中間周波数（４．０６ＭＨｚ）を中心周波数として、３セグメント分の帯域幅を有する周波数帯域（３．４１５ＭＨｚ〜４．７０５ＭＨｚ）を復調可能な周波数帯域とし、この周波数帯域に含まれるＩＦ信号を復調することにより、このＩＦ信号が含む放送情報および時刻情報の何れかの情報を取り出す。ここで、時刻信号の帯域は、３セグメント分の帯域に含まれるため、時刻情報は欠落することなく取り出される。本実施形態１では、復調手段４０に入力されたＩＦ信号は、最初にＡ／Ｄ変換された後、ＯＦＤＭ復調手段４２に送られる。ＯＦＤＭ復調手段４２は、ＯＦＤＭ変調された搬送波の信号を、デジタル信号に復調する機能を備える。このＯＦＤＭ復調手段４２は、入力された信号が放送信号および時刻信号の何れの場合であっても、ＩＱ分離処理までは共通の処理を施す。この場合、デジタル放送の時間インターリーブ処理のように大きな遅延を引き起こす回路が含まれないため、時刻信号に含まれる時刻情報に対して悪影響を与えることは無い。
【００２６】
続いて、ＩＱ分離処理の後、ＩＦ信号が放送信号であるか、または時刻信号であるかにより以降の処理が分岐される。この場合、放送信号および時刻信号の判定は、例えば、時刻信号におけるＳＯＭ（Ｓｔａｒｔ  Ｏｆ  Ｍｅｓｓａｇｅ）のように、データの先頭に配置され所定の値を示すデータ群から信号を判定しても良い。この判定の結果、ＩＦ信号が時刻信号と判定された場合、ＣＤＭＡ復調手段４４に送られてＣＤＭＡ復調される。本実施形態１では、復調されたデジタル信号において、位相が直交する２つのデジタル信号（Ｉ信号、Ｑ信号）に対してシンクチャンネル信号が復調される。復調されたシンクチャンネル信号は、時刻情報取得手段４６に送られる。時刻情報取得手段４６は、復調されたシンクチャンネル信号から時刻データを含むシンクチャンネル信号のデータを復号し、このシンクチャンネル信号のデータに含まれる時刻データを抽出する。抽出された時刻データは、出力手段５０に送られる。尚、本実施形態１では、時刻信号から時刻情報を取得するのに所要する時間は、数１００ｍ秒程度である。
【００２７】
他方で、ＩＦ信号が放送信号であると判定された場合、ＯＦＤＭ復調された後、ＭＰＥＧ復調手段４８に送られて復調されることにより、圧縮された音声信号と映像信号が伸張されて取り出され、出力手段５０に送られる。もちろん、放送信号および時刻信号の選択は、操作指示手段３８に従って動作する切り替えスイッチ等で行ってもよい。
【００２８】
出力手段５０は、ディスプレイ５２およびスピーカ５４を備える。ディスプレイ５２は、復調手段４０から送られる時刻データおよび映像信号の何れかを表示する。また、スピーカ５４は、音声信号を出力する。図３（ａ）および（ｂ）は、ディスプレイ５２に表示される情報を説明する図である。図３（ａ）は、時刻データが表示される際には、映像信号の映像が表示されない場合の推移を示す。即ち、時刻Ｔ０においてディスプレイ５２にデジタルテレビ放送の映像が表示され、時刻Ｔ１において時刻信号の受信が指示された場合、デジタルテレビ放送の映像に替えて時刻情報が表示される。予め設定された時間に渡り時刻情報が表示された後、時刻Ｔ２において、デジタルテレビ放送の映像が引き続き表示される。また、図３（ｂ）は、時刻データが表示される際には、映像信号の映像に時刻情報を重畳して表示する場合の推移を示す。即ち、時刻Ｔ１において時刻信号の受信が指示された場合、直前に表示されていたデジタルテレビ放送の映像が静止画像として表示され、この静止画像に重畳して時刻情報が所定の時間に渡り表示される。
【００２９】
尚、出力手段５０は、ディスプレイ５２およびスピーカ５４に限定されるものでは無く、ＵＳＢ（Ｕｎｉｖｅｒｓａｌ  Ｓｅｒｉａｌ  Ｂｕｓ）規格のようなインターフェイス規格に従い電気信号に変換し、通信可能に接続された他の情報機器装置等に出力しても良い。また、時刻信号は、テレビジョン受信装置１が備える時計機能部（図示は略す。）に出力し、テレビジョン受信装置１は、内蔵する時計を時刻信号に基づき修正しても良い。
【００３０】
以上述べた実施形態１によれば、以下のような効果を奏する。
（１）デジタル放送は、放送信号の復調・復元処理等に時間を要するため、放送信号から取得される時刻には誤差を含むが、本実施形態１のテレビジョン受信装置１は、ＣＤＭＡ変調された時刻信号から時刻情報を迅速に取得できるため、正確な時刻情報を必要に応じて表示できる。
（２）受信対象信号が放送信号および時刻信号の何れであっても、受信した信号の処理を、多くの部分において共通にできることから、このような受信装置の製作コストが低減できると共に、受信装置の小型化および低消費電力化を図れる。
【００３１】
（実施形態２）
次に、本発明の実施形態２について、図４を参照して説明する。尚、以下の説明では、既に説明した部分と同じ部分については、同一符号を付してその説明を省略する。
【００３２】
図４は、本発明の実施形態２に係る受信装置の一実施例であるテレビジョン受信装置１の機能構成を示すブロック図である。前記の実施形態１におけるテレビジョン受信装置１では、ＴＶ用局発信号生成手段３２とＣＤＭＡ用局発信号生成手段３４とを備え、受信すべき信号に応じて何れかに切り替えたが、本実施形態２では、ＴＶ用局発信号とＣＤＭＡ用局発信号とをＴＶ信号／ＣＤＭＡ信号用局部発振信号生成手段（以降、「ＴＶ／ＣＤＭＡ用局発信号生成手段」と略す。）３６を備える。また、ＩＦバンドパスフィルタ２６は、実施形態１では、地上波デジタル放送の３セグメント分（１．２９ＭＨｚ）の帯域が通過可能であったが、本実施形態２では、地上波デジタル放送の１３セグメント分（５．６ＭＨｚ）の帯域が通過できる。尚、本実施形態２のテレビジョン受信装置１では、実施形態１の場合と同様に、中間周波数が４．０６ＭＨｚになるように設計されている。
【００３３】
ＴＶ／ＣＤＭＡ用局発信号生成手段３６は、実施形態１のＴＶ用局発信号生成手段３２で生成した局部発振信号に加え、生成可能な局発周波数（ｆ０）の範囲を広げることで、時刻信号の周波数に応じた局発周波数を有する局部発振信号を生成する。尚、本実施形態２においても、放送信号を含むＩＦ信号の周波数は、中間周波数（４．０６ＭＨｚ）になるように、局発周波数が決定される。従って、ＩＦ信号の局発周波数は、以下の様に示すことができる。
ｆ０＝４６９．０８＋６×ｎ（ＭＨｚ）  但し、ｎ＝０〜４９および６３，６６・・・（式２）
【００３４】
図５（ａ）は、放送信号が変換されたＩＦ信号の周波数帯域と、ｎ＝６６の場合における時刻信号のプライマリーチャンネルが変換されたＩＦ信号の周波数帯域とを説明する図である。ｎ＝６６の場合、ｆ０は８６５．０８ＭＨｚとなり、プライマリーチャンネルのＩＦ信号は、４．１３ＭＨｚの中心周波数で出現する。ここで、復調可能な周波数帯域を、放送信号の帯域として１３セグメント分（５．６ＭＨｚ）とする場合、時刻信号の占有周波数帯域（４．１３±０．６１５ＭＨｚ）は、１３セグメント分の帯域内に収まる。また、復調可能な周波数帯域を、放送信号の帯域として３セグメント分（１．２９ＭＨｚ）とする場合、ｎ＝６６の場合に限り、中間周波数の帯域を、周波数が高い側に０．０４ＭＨｚ分のみ更に拡張することで、時刻情報のデータを全て取得できる。
【００３５】
図５（ｂ）は、放送信号が変換されたＩＦ信号の周波数帯域と、ｎ＝６３の場合における時刻信号のセカンダリーチャンネルが変換されたＩＦ信号の周波数帯域とを説明する図である。ｎ＝６３の場合、ｆ０は８４７．０８ＭＨｚとなり、セカンダリーチャンネルのＩＦ信号は、３．１８ＭＨｚの中心周波数で出現する。ここで、復調可能な周波数帯域幅を、放送信号の帯域として１３セグメント分（５．６ＭＨｚ）とする場合、時刻信号の占有周波数帯域（３．１８±０．６１５ＭＨｚ）は、５．６ＭＨｚの帯域内に収まる。また、復調可能な周波数帯域を、放送信号の帯域として３セグメント分（１．２９ＭＨｚ）とする場合、ｎ＝６３の場合に限り、中間周波数の帯域を、周波数が低い側に０．８５ＭＨｚ分のみ更に拡張することで、時刻情報のデータを全て取得できる。
【００３６】
尚、生成可能な局発周波数（ｆ０）の範囲を示すパラメータ（ｎ）は、「６３」および「６６」に替えて、「６２」および「６５」でも良い。図６（ａ）は、放送信号が変換されたＩＦ信号の周波数帯域と、ｎ＝６５の場合における時刻信号のプライマリーチャンネルが変換されたＩＦ信号の周波数帯域とを説明する図である。ｎ＝６５の場合、ｆ０は８５９．０８ＭＨｚとなり、プライマリーチャンネルのＩＦ信号は、１．８７ＭＨｚの中心周波数で出現する。ここで、復調可能な周波数帯域を、放送信号の帯域として１３セグメント分（５．６ＭＨｚ）とする場合、時刻信号の占有周波数帯域（１．８７±０．６１５ＭＨｚ）は、５．６ＭＨｚの帯域内にほぼ収まる。
【００３７】
また、図６（ｂ）は、放送信号が変換されたＩＦ信号の周波数帯域と、ｎ＝６２の場合における時刻信号のセカンダリーチャンネルが変換されたＩＦ信号の周波数帯域とを説明する図である。ｎ＝６２の場合、ｆ０は８４１．０８ＭＨｚとなり、セカンダリーチャンネルのＩＦ信号は、２．８２ＭＨｚの中心周波数で出現する。ここで、復調可能な周波数帯域を、放送信号の帯域として１３セグメント分（５．６ＭＨｚ）とする場合、時刻信号の占有周波数帯域（２．８２±０．６１５ＭＨｚ）は、５．６ＭＨｚの帯域内に収まる。尚、パラメータ（ｎ）を「６２」および「６５」とした場合、ＩＦ信号の周波数は低くなるため、復調手段４０での消費電力は低減される。また、上側の局発周波数と下側の局発周波数は、ＩＦ信号のスペクトルが逆転するが、ＣＤＭＡ信号の場合、正常に信号処理され、動作に影響を与えないことが知られている。
【００３８】
以上述べた実施形態２によれば、実施形態１で述べた（１）の効果に加え、以下の効果を奏する。
（３）放送信号と時刻信号を受信するためのチューナ２０を完全に共通化できることから、部品数が更に減少するため、テレビジョン受信装置１の小型化、低消費電流化および低コスト化を一層図ることができる。
【００３９】
以上、本発明を図示した実施形態に基づいて説明したが、本発明は、本実施形態に限定されるものではなく、以下に述べるような変形例も想定できる。
（１）ディスプレイ５２に表示される時刻情報は、デジタル形式に限定されるものではなく、アナログ形式で指針により時刻表示されても良い。
【図面の簡単な説明】
【００４０】
【図１】本発明の実施形態１に係る受信装置の一実施例であるテレビジョン受信装置の機能構成を示すブロック図。
【図２】放送信号が変換されたＩＦ信号の周波数帯域と時刻信号が変換されたＩＦ信号の周波数帯域を示す図。
【図３】（ａ）は、映像および時刻データの何れかがディスプレイに表示される場合を示し、（ｂ）は、時刻データが映像に重畳されてディスプレイに表示される場合を示す図。
【図４】本発明の実施形態２に係る受信装置の一実施例であるテレビジョン受信装置の機能構成を示すブロック図。
【図５】（ａ）は、ｎ＝６６の場合のプライマリーチャンネルのＩＦ信号の帯域を説明し、（ｂ）は、ｎ＝６３の場合のセカンダリーチャンネルのＩＦ信号の帯域を説明する図。
【図６】（ａ）は、ｎ＝６５の場合のプライマリーチャンネルのＩＦ信号の帯域を説明し、（ｂ）は、ｎ＝６２の場合のセカンダリーチャンネルのＩＦ信号の帯域を説明する図。
【符号の説明】
【００４１】
１…テレビジョン受信装置、１０…アンテナ、２０…チューナ、２２…ローノイズアンプ、２４…周波数変換手段、２６…ＩＦバンドパスフィルタ、２８…ＩＦアンプ、３０…切り替え手段、３２…ＴＶ信号用局部発振信号生成手段、３４…ＣＤＭＡ信号用局部発振信号生成手段、３６…ＴＶ信号／ＣＤＭＡ信号用局部発振信号生成手段、３８…操作指示手段、４０…復調手段、４２…ＯＦＤＭ復調手段、４４…ＣＤＭＡ復調手段、４６…時刻情報取得手段、４８…ＭＰＥＧ復調手段、５０…出力手段、５２…ディスプレイ、５４…スピーカ。
【図１】
2008288650.tif 000003
【図２】
2008288650.tif 000004
【図３】
2008288650.tif 000005
【図４】
2008288650.tif 000006
【図５】
2008288650.tif 000007
【図６】
2008288650.tif 000008